(57)【要約】【課題】天体撮影等の長時間撮影に利用されるバルブ撮影モードにおいて、撮影可能時間を表示させることで、ユーザーが撮影可能時間を把握でき、ユーザーが意図する良好な撮影をおこなうことができる撮像装置を提供することを目的とする。【解決手段】電池を電源としてバルブ撮影モードが設定可能な撮像装置であって、前記バルブ撮影モードが設定されたときに、電池の残り容量に関する情報を取得する残容量取得手段と、前記残容量取得手段によって取得した残り容量に関する情報と、バルブ撮影動作に必要な消費電力に関する情報からバルブ撮影可能時間を算出するバルブ撮影可能時間算出手段と、前記バルブ撮影可能時間算出手段によって算出されたバルブ撮影可能時間を表示する表示手段とを有するものである。【選択図】  図４
2008113377.tif 000002
【特許請求の範囲】
【請求項１】
電池を電源としてバルブ撮影モードが設定可能な撮像装置であって、
前記バルブ撮影モードが設定されたときに、電池の残り容量に関する情報を取得する残容量取得手段と、
前記残容量取得手段によって取得した残り容量に関する情報と、バルブ撮影動作に必要な消費電力に関する情報からバルブ撮影可能時間を算出するバルブ撮影可能時間算出手段と、
前記バルブ撮影可能時間算出手段によって算出されたバルブ撮影可能時間を表示する表示手段とを有することを特徴とする撮像装置。
【請求項２】
前記残容量取得手段は、前記電池から送信される残容量データを受信することで、前記電池の残り容量に関する情報を取得することを特徴とする請求項１に記載の撮像装置。
【請求項３】
前記残容量取得手段は、前記電池から送信される残容量データと劣化度データを受信することで、前記電池の残り容量に関する情報を取得することを特徴とする請求項１又は２に記載の撮像装置。
【請求項４】
前記バルブ撮影可能時間算出手段は、前記残容量取得手段によって取得した残り容量に関する情報と、バルブ撮影中の消費電力に関する情報と、バルブ撮影終了後の処理の消費電力に関する情報とからバルブ撮影可能時間を算出することを特徴とする請求項１〜３のいずれか１項に記載の撮像装置。
【請求項５】
電池を電源としてバルブ撮影モードが設定可能な撮像装置の制御方法であって、
前記バルブ撮影モードが設定されたときに、電池の残り容量に関する情報を取得する残容量取得ステップと、
前記残容量取得ステップによって取得した残り容量に関する情報と、バルブ撮影動作に必要な消費電力に関する情報からバルブ撮影可能時間を算出するバルブ撮影可能時間算出ステップと、
前記バルブ撮影可能時間算出ステップによって算出されたバルブ撮影可能時間を表示する表示ステップとを有することを特徴とする撮像装置の制御方法。
【請求項６】
電池を電源としてバルブ撮影モードが設定可能な撮像装置を制御するコンピュータプログラムであって、
前記バルブ撮影モードが設定されたときに、電池の残り容量に関する情報を取得する残容量取得ステップと、
前記残容量取得ステップによって取得した残り容量に関する情報と、バルブ撮影動作に必要な消費電力に関する情報からバルブ撮影可能時間を算出するバルブ撮影可能時間算出ステップと、
前記バルブ撮影可能時間算出ステップによって算出されたバルブ撮影可能時間を表示する表示ステップとをコンピュータに実行させるためのコンピュータプログラム。
【発明の詳細な説明】
【技術分野】
【０００１】
本発明は、例えば撮影のための給電に電池を利用するカメラに用いられて好適な撮像装置、撮像装置の制御方法及びコンピュータプログラムに関する。
【背景技術】
【０００２】
撮影のための給電に電池を利用するカメラの中で、カメラ本体に装着された電池の残量を検知し、検知した電池の残量に応じて撮影可能枚数を表示するようにしたものが知られている（例えば、特許文献１参照）。特許文献１によれば、撮影可能枚数が表示されることで、ユーザは、撮影したい構図があるにもかかわらず、電池切れにより撮影が不可能になってしまうという状況から解消される。
【０００３】
一方、一眼レフカメラを始めとする種々のカメラには、天体撮影のように長時間に僅かに移動する物体を撮影する場合や、暗中にあり光量が僅かな物体を撮影する場合に、長時間露光ができるいわゆるバルブ撮影ができるものがある。そして、このようなバルブ撮影を行なうことができる一眼レフカメラは、一般にフォーカルプレーンシャッターが採用されている。このフォーカルプレーンシャッターとは、撮像素子の前に先幕と後幕が配置され、普段は幕が撮像素子を遮光しており、先幕と後幕が間隔をあけて走行することにより撮像素子へ光が通過し露光され、上記走行間隔の差により露光時間が決定されるものである。
【０００４】
したがって、上述したバルブ撮影では、第一のレリーズにて先幕を走行させ、露光し、第二のレリーズで後幕を走行して露光完了となる。この幕開口時間となる露光時間、すなわち、第一レリーズから第二レリーズまでの時間は、撮影者が任意に決定することができる。
【０００５】
【特許文献１】特開平１１−５２４６９号公報
【発明の開示】
【発明が解決しようとする課題】
【０００６】
しかしながら、このバルブ撮影中は先幕走行後であっても、カメラは露光状態を保持しているため、その間はシャッターの電気的保持電力や撮像素子への給電により電力が消費されている。ここで、上述したように露光時間は撮影者が決定することができるため、１回の撮影の消費電力が異なり、特許文献１のような撮影可能枚数を表示するのでは電池切れにより撮影が不可能になってしまうという問題が解消されない。つまり、電池を新品又は充電を満充電にして撮影に臨んだとしても、長時間露光による電力消費、撮影条件、撮影環境等で電池容量が低下し、撮影が途中で終了するという問題が生じる。この問題により撮影データの記録ができず長時間の撮影が無駄になってしまう。
【０００７】
また、ニカド電池やリチウムイオン電池等の二次電池は、使用頻度や使用環境により電池そのものが劣化するので、劣化した電池は充電器にて満充電にしても蓄える容量が少なくなる。したがって、表記された電池容量よりも少ない場合があり、この場合にも撮影が途中で終了したり、撮影データの記録ができないという問題が生じる。
【０００８】
本発明は上記のような問題点に鑑みてなされたものであり、シャッターを長時間開口して露光して撮像する場合であっても、ユーザーが良好に撮影をおこなうことができるようにするものである。
【課題を解決するための手段】
【０００９】
上記の問題点を解決するために本発明は、電池を電源としてバルブ撮影モードが設定可能な撮像装置であって、前記バルブ撮影モードが設定されたときに、電池の残り容量に関する情報を取得する残容量取得手段と、前記残容量取得手段によって取得した残り容量に関する情報と、バルブ撮影動作に必要な消費電力に関する情報からバルブ撮影可能時間を算出するバルブ撮影可能時間算出手段と、前記バルブ撮影可能時間算出手段によって算出されたバルブ撮影可能時間を表示する表示手段とを有することを特徴とするものである。
【発明の効果】
【００１０】
本発明によれば、バルブ撮影モードにおいて、バルブ撮影可能時間を表示することができるので、ユーザーが撮影可能時間を把握でき、ユーザーが意図する良好な撮影を行なうことができる。
【発明を実施するための最良の形態】
【００１１】
以下、図面を参照して本発明に係る実施形態を説明する。図１は、本発明を適用した撮像装置を含むデジタル一眼レフカメラの構成を示す図である。１００はカメラ本体であり、画像処理等を行なう構成を簡略化して図示している。カメラ本体１００には、絞り機構を備える交換可能な撮影レンズ９が装着可能である。
【００１２】
１はカメラ本体１００全体を制御するシステム制御回路１であり、内部にＲＯＭ、ＲＡＭ、Ａ／Ｄコンバータ、Ｄ／Ａコンバータ、時計機能を有するマイクロコンピュータである。このシステム制御回路１は、後述する電池情報の取得を行ない、バルブ撮影モードでの撮影可能時間の表示制御等を内部プログラムにて処理及び制御する。２は電源制御部でＤＣ−ＤＣコンバータにより構成されており、システム制御回路１の指示に基づいてＤＣ−ＤＣコンバータを制御し、必要な電圧を必要な各部へ供給する。
【００１３】
３はカメラに装着される電池であり、カメラの撮影等に必要な給電を行なう。この電池内部にはマイクロコンピュータが搭載され、このマイクロコンピュータとカメラ本体１００とで電池情報に関する相互通信を行なう。ここで、電池情報とは、電池容量、電池の残り容量、電池電圧、放電電流、電池温度、電池の劣化度情報等がある。電池３よりカメラ本体１００に送信された電池情報は後述するカメラ内のメモリに記録される。
【００１４】
４、５は、装着される電池３とカメラ本体１００の接続部となるコネクタであり、電池３の電源ラインと通信ラインをカメラ本体１００に接続する。通信ラインはシステム制御回路１に直接繋がっており、システム制御回路１は、通信ラインが繋がっているか否かで電池３が装置されているかの判断を行なう。６は撮影レンズ９のフォーカシングを制御する測距制御部である。測距制御部６は、測距センサを含んで構成され、複数の測距点から選択された測距を行ない、システム制御回路１にて演算された絞り値（Ａｖ値）に合わせて撮影レンズ９の絞りを開閉する制御を行なう。７、８は、レンズ接続端子であり、測距制御部６は、レンズ接続端子７、８を介して上述した撮影レンズ９の絞りを開閉制御する。
【００１５】
１０はシャッター１１を制御する露光制御部である。露光制御部１０は、測光センサを含んで構成され、システム制御回路１にて演算されたシャッター秒時（Ｔｖ値）に合わせてシャッター１１の先幕１２と後幕１３を開閉する制御を行なう。バルブ撮影モードが設定されレリーズすると、露光制御部１０より先幕走行開始信号が送られ、先幕１２が走行し露光開始となる。その後は次のレリーズまで後幕１３は走行待機となる。
【００１６】
２０は光学像を電気信号に変換する例えばＣＣＤ等の撮像素子である。２１は撮像素子２０のアナログ信号出力をデジタル信号に変換するＡ／Ｄ変換器である。２２は撮像素子２０や、 Ａ／Ｄ変換器２１や、 Ｄ／Ａ変換器２４にクロック信号や制御信号を供給するタイミング発生回路であり、メモリ制御回路２３及びシステム制御回路１により制御される。２５は画像処理回路であり、 Ａ／Ｄ変換器２１からのデータ或いはメモリ制御回路２３からのデータに対して所定の画素補間処理や色変換処理を行なう。２６は画像表示メモリである。
【００１７】
２７はＴＦＴ型カラーＬＣＤ等から成る情報表示部であり、画像表示メモリ２６に書き込まれた表示用の画像データはＤ／Ａ変換器２４を介して情報表示部２７に表示される。情報表示部２７はカメラ背面に設置され、撮影後の画像確認やシステム制御回路１との通信によりさまざまな情報告知を表示する。後述するバルブ撮影での撮影可能時間の表示は、この情報表示部２７をモニタとして確認を行なうことができる。
【００１８】
２８は撮影した静止画像のデータやこの静止画像に付帯する撮影情報がコード化されたものを格納するためのメモリであり、所定枚数の静止画像を格納するのに十分な記憶量を備えている。２９は画像データを圧縮伸長しファイル化する画像ファイル生成部であり、画像データメモリ２８に格納された画像を読み込んで圧縮処理或いは伸長処理を行ない、処理を終えたデータをメモリ接続端子３１、３２のコネクタを介して外部メモリ３０に書き込む。
【００１９】
外部メモリ３０はＰＣＭＣＩＡカードやフラッシュメモリカード等の規格に準拠したものを用いて構成される例えばカード型の取り外し可能なメモリである。４１は撮影情報表示部であり、システム制御回路１でのプログラムの実行に応じて文字やアイコン等でカメラの動作状態の表示を行ない、操作部近辺の視認し易い位置に設置される。後述するバルブ撮影での撮影可能時間の表示は、情報表示部２７とともに、この撮影情報表示部４１にも表示される。
【００２０】
４２はＥＥＰＲＯＭ等の電源供給が断たれても記憶を継続する不揮発性メモリであり、撮影条件等の記録が格納される。４３はカメラのさまざまな撮影モードを選択するモードダイアルである。４４は撮影開始を発動させるシャッタースイッチＳＷ１であり、シャッターボタンの操作途中でＯＮとなり撮影動作開始を指示する。４５はシャッタースイッチＳＷ２であり、シャッターボタンの操作完了でＯＮとなり、撮像素子２０から読み出した信号を上述した画像処理回路部２５を経て外部メモリ３０に画像データを書き込む一連の撮影処理の動作開始を指示する。
【００２１】
４６は撮影条件等を設定する回転型スイッチであり、例えばＴｖ値やＡｖ値のアップダウンをダイアルスイッチ４６を回転させることにより撮影情報表示部４１に表示しながら設定する。４７はカメラ外装に設置されたスイッチであり、さまざまな撮影条件を決定するスイッチや撮影された画像の編集・閲覧を行なうスイッチ、入力制御回路等で構成される。
【００２２】
次に図２を用いて電池３として一般的に用いられるリチウムイオン電池を例にして、電池電圧又は電池容量と時間の関係を説明する。図中の電池放電条件は、同一条件として一定電流を放電したときの状況を表している。
【００２３】
図２（ａ）では、縦軸に電池電圧Ｖ、横軸に経過時間を表しており、図のように電池が放電すると電池電圧Ｖが変化する。初期段階での電池電圧Ｖは、その電池の満充電された最大電圧になっており、放電するたびに徐々に電圧値は下降する。
【００２４】
図中、横軸におけるｔのポイントはカメラ本体１００にて設定された禁止電圧値であり、カメラはこの電圧以下では正常な動作が保障できないので告知表示を行ない動作ストップとなる。電池がさらに放電すると急激に電圧降下を起こし、その電池の終止電圧に到達すると保護回路が作動して放電しなくなる。
【００２５】
図２（ｂ）では、縦軸に電池容量、横軸に経過時間を表しており、図のように電池が放電すると電池容量が低下する。初期段階での電池容量は、その電池の満充電された最大容量１００％になっており、放電するたびに徐々に電池容量は下降する。
【００２６】
図中、横軸におけるｔのポイントは図２（ａ）で示したｔと同じポイントであり、カメラの禁止電圧値に到達した場合を０％と表記している。実際はその後も終止電圧まで放電できる電池能力はあるが、カメラの正常な動作が保障できないので、カメラが表示する残容量としては禁止電圧のｔポイントを０％と表示することが望ましい。
【００２７】
電池容量は一般的に〔ｍＡｈ〕で表現されている。仮にこの電池の公称容量を２０００ｍＡｈとすると、１Ｃのエネルギー消費（放電電流２０００ｍＡ）が継続した場合には１時間で終止電圧近辺になる。カメラが動作不能となる禁止電圧値と電池残容量0%の関係が同一であれば、一定な消費エネルギー（放電電流）に対して電池の使える残り時間を割り出すことが可能となる。
【００２８】
図２（ｃ）では図２（ｂ）と同様に、縦軸に電池容量、横軸に経過時間を表している。図中、横軸におけるｔ／２のポイントは上述したｔポイントの半分の時間を表し、電池容量は図２（ｂ）に比べ半分の時間で変化しているが、この場合は２つの状況がある。一つは、放電電流が２倍になった場合であり、一つは、電池が劣化して半分の容量しか充電できなくなった場合である。仮にこの電池の公称容量を２０００ｍＡｈとすると、２Ｃのエネルギー消費（放電電流４０００ｍＡ）が継続した場合には半分の０．５時間で終止電圧近辺になる。
【００２９】
また電池の使用頻度や使用環境にて劣化した電池の場合は、例えば図２（ｃ）のように、満充電しても実際の容量の５０％までしか蓄えられない状況となり、満充電容量を１００％とすると半分の０．５時間で終止電圧近辺になる。以上、説明したように、電池が消費する放電電流とその電池の劣化度合いがわかれば、電池の残容量から電池が使えなくなるまでの時間を算出することができる。
【００３０】
次に具体的なカメラの動作例と表示について、図３〜図５を用いて説明する。図３はカメラに電池が装着された場合の動作フローチャートであり、カメラ本体１００に電池３が挿入され電源が供給されると、システム制御回路１が起動し内部プログラムにより〔電池装着〕フローチャートの実行を行なう。
【００３１】
まずシステム制御回路１は、電池が装着されているかの判断のため電池３と初期通信を行なう（ステップＳ３０１）。電池３との通信が成立すれば、システム制御回路１は電池３が装着されていると判断してステップＳ３０３へ移行する。通信が成立しない場合は、システム制御回路１は通信不能電池、又は、その他の電池と判断してステップＳ３０２へ移行し、エンド処理を行ない、別処理のルーチン、例えば情報表示部２７に「通信不能」の警告メッセージを表示するルーチンへ移行する。
【００３２】
ステップＳ３０１にて電池通信が確定したらシステム制御回路１は、情報取得のために所定のコマンドにて電池３へデータ要求を行なう（ステップＳ３０３）。所定のコマンドの内容概略としては、電池残容量、電池電圧、電流、電池温度、電池劣化度、等がある。
【００３３】
このデータ要求に対してシステム制御回路１は、電池情報を取得し（ステップＳ３０４）、カメラ内部のメモリにそれぞれのデータを記録する（ステップＳ３０５）。記録されたデータは、システム制御回路１がいつでも読み出すことができ、後述する時間算出のための演算に用いられる。
【００３４】
図４はバルブ撮影での撮影可能時間を表示するための動作フローチャートである。カメラの撮影モードとしてバルブ撮影が設定されると、システム制御回路１は内部プログラムにより〔バルブ撮影可能時間表示〕フローチャートの実行を行なう。
【００３５】
まず、システム制御回路１は、バルブ撮影モードが設定されたかを待機する状態となり（ステップＳ４０１）、バルブ撮影モードに設定されればステップＳ４０２へ移行する。ステップＳ４０２ではシステム制御回路１は、電池３と通信を行ない、電池残容量のデータを要求する。ステップＳ４０３ではシステム制御回路１は、電池３から現在の残容量データを取得することができる。このように、システム制御回路１が、電池の残り容量に関する情報を取得する構成を残容量取得手段という。
【００３６】
次に、システム制御回路１は、現在のカメラ状態を検出するために、カメラ内部のメモリ情報より所望のデータを取り出す（ステップＳ４０４）。ここで、システム制御回路１が取り出すデータは、カメラの消費電流として変化要素が大きい項目データである。例えば、カメラに装着されて電力供給を行なうレンズ等の装着機器情報、電池内部のインピーダンスに影響する温度情報、バックライトの点灯時間等のカメラ設定情報、撮影画像をメモリに記録するときに影響する撮影画像の記録サイズ情報等である。
【００３７】
上述したそれぞれの情報に対する消費電流はシステム制御回路１が把握しているため、バルブ撮影中にカメラが継続して撮影するために必要な消費する電流、すなわち、電池３が放電する電力を算出することができる。
【００３８】
次に、システム制御回路１は、電池残容量とバルブ撮影中の消費電流からバルブ撮影可能時間の演算を行なう（ステップＳ４０５）。このように、システム制御回路１が電池の残り容量に関する情報とバルブ撮影動作に必要な消費電力に関する情報からバルブ撮影可能時間を算出する構成をバルブ撮影可能時間算出手段という。なお、後述するようにバルブ撮影終了後の処理の消費電力に関する情報をも加えてバルブ撮影可能時間を算出することでより正確な時間を算出できる。次に、ステップＳ４０６にてバルブ撮影可能時間を撮影情報表示部４１、又は情報表示部２７に表示する。このように、システム制御回路１がバルブ撮影可能時間を撮影情報表示部４１などに表示する構成を表示手段という。
【００３９】
図５はバルブ撮影モードでの撮影可能時間の表示例を示す図である。図５（ａ）はカメラ本体１００の外装に設置された撮影情報表示部４１の表示例である。バルブ撮影モードに設定されるとモード告知として『ｂｕｌｂ』を表示し、そのときの電池残量を示すバッテリーマークを表示し、演算結果であるバルブ撮影モードでの撮影可能時間を表示する。この表示例では『６Ｈ：３９Ｍ：５１Ｓ』が表示されており、撮影可能時間が６時間３９分５１秒であることを示している。
【００４０】
バルブ撮影モードでの撮影可能時間は、システム制御回路１が以下のような演算処理を行なうことで算出される。
ここで、図５（ａ）の条件として、
電池の実容量を２０００ｍＡｈとし、
電池は満充電にて１００％であり、
バルブ撮影中の消費電流が３００ｍＡを継続するとして、
カメラ撮影後の処理に５秒間５００ｍＡ消費すると仮定する。
【００４１】
まず、システム制御回路１は、電池の実容量から撮影後の処理に要するエネルギーを減算し、バルブ撮影モードで、撮影に使用できる電池の容量を算出する。具体的に上述で仮定した数値を用いると、撮影に使用できる電池の容量＝
｛２０００（ｍＡｈ）−（５００（ｍＡ）×５（ｈ）／３６００）｝
となる。この演算処理により１９９９．３（ｍＡｈ）を得る。
【００４２】
次に、システム制御回路１は、撮影に使用できる電池の容量をバルブ撮影で消費する消費電流で除算しバルブ撮影モードでの撮影可能時間を算出する。具体的に上述で仮定した数値と上記で得た撮影に使用できる電池の容量を用いると、
バルブ撮影可能時間＝１９９９．３（ｍＡｈ）／３００（ｍＡ）  となる。
この演算処理によりバルブ撮影可能時間、６時間３９分５１秒を得る。
上記の消費電流は、図４のステップＳ４０４にて説明したカメラ状態検出により決定される。
【００４３】
図５（ｂ）はカメラ背面に設置された情報表示部２７の表示例である。バルブ撮影モードに設定されバッテリー情報の表示を選択すると、そのときの電池残容量を示す％数値を表示し、電池情報から取得した電池の劣化度合いとなる電池充電能力を％数値で表示し、演算結果であるバルブ撮影での撮影可能時間を表示する。
【００４４】
バルブ撮影モードでの撮影可能時間の算出は、システム制御回路１が以下のような演算処理を行なうことで算出される。
ここで、図５（ｂ）の条件として、
電池の実容量を２０００ｍＡｈとし、
電池残量は８０％であり、
電池の充電能力が５０％まで劣化しており、
バルブ撮影中の消費電流が３００ｍＡを継続するとして、
カメラ撮影後の処理に５秒間５００ｍＡ消費すると仮定する。
【００４５】
まず、システム制御回路１は、電池の実容量、電池残量及び電池の充電能力（電池の劣化度合い）を用いて現時点での電池の残量を算出する。具体的に上述で仮定した数値を用いると、
現時点での電池の残量＝２０００（ｍＡｈ）×５０％×８０％  となる。
この演算処理により８００（ｍＡｈ）を得る。
【００４６】
次に、システム制御回路１は、現時点での電池の残量から撮影後の処理に要するエネルギーを減算し、バルブ撮影モードで、撮影に使用できる電池の容量を算出する。具体的に上述で仮定した数値を用いると、撮影に使用できる電池の容量＝
｛８００（ｍＡｈ）−（５００（ｍＡ）×５（ｈ）／３６００）｝
この演算処理により７９９．３（ｍＡｈ）を得る。
【００４７】
次に、システム制御回路１は、撮影に使用できる電池の容量をバルブ撮影で消費する消費電流で除算しバルブ撮影モードでの撮影可能時間を算出する。具体的に上述で仮定した数値と上記で得た撮影に使用できる電池の容量を用いると、
バルブ撮影可能時間＝７９９．３（ｍＡｈ）／３００（ｍＡ）＝２．６６４（ｈ）
この演算処理によりバルブ撮影可能時間、２時間３９分５１秒を得る。
上記の消費電流は、図４のステップＳ４０４にて説明したカメラ状態検出により決定される。
【００４８】
以上、説明したように、電池の残容量や電池の劣化度合い等の電池情報を取得し、この電池情報と撮影を継続するために必要な消費電流、そして撮影終了後に必要な消費電流等からバルブ撮影での撮影可能時間を算出することができる。
【００４９】
また、撮影環境の変化要素である装着機器情報、温度情報、カメラ設定情報及び記録サイズ情報等を考慮することで、より正確にバブル撮影モードでの消費電流を算出することができる。
【００５０】
上述したバルブ撮影モードでの撮影可能時間の算出例では、撮影終了後の処理に５秒間５００ｍＡ消費すると仮定した。これは、撮影終了後の処理に消費する電流と、処理に要する時間とを最大で記録できるサイズ等を考慮してあらかじめメモリに記憶させている。しかしながら、この実施形態に限られず、システム制御回路１が記録サイズ情報等に基づいて撮影終了後の処理に消費する電流や、処理に要する時間を算出してもよい。撮影終了後の処理に消費する電流と、処理に要する時間を算出することで、より正確にバブル撮影モードの撮影可能時間を算出することができる。
【００５１】
上述した本発明の実施形態における撮像装置を構成する各手段、並びに撮像装置の制御方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００５２】
また、本発明は、例えば、システム、装置、方法、プログラムもしくは記録媒体等としての実施形態も可能であり、具体的には、複数の機器からなるシステムに適用してもよい。
【００５３】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００５４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００５５】
また、コンピュータが、読み出したプログラムを実行することによって、前述した実施形態の機能が実現される。さらに、そのプログラムの指示に基づき、コンピュータ上で稼動しているＯＳ等が、実際の処理の一部又は全部を行ない、その処理によっても前述した実施形態の機能が実現され得る。
【００５６】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行ない、その処理によっても前述した実施形態の機能が実現される。
【図面の簡単な説明】
【００５７】
【図１】本発明に係る実施形態のカメラの構成を示すブロック図である。
【図２】本発明に係る実施形態の電池電圧又は電池容量と時間の関係を説明するための図である。
【図３】本発明に係る実施形態の電池装着時の動作を示すフローチャートである。
【図４】本発明に係る実施形態のバルブ撮影での撮影可能時間を表示する動作を示すフローチャートである。
【図５】本発明に係る実施形態のカメラの表示例を示す図である。
【符号の説明】
【００５８】
１    システム制御回路
３    電池
４    カメラの電池接続用コネクタ
５    電池のカメラ接続用コネクタ
１０  露光制御部
１１  シャッター
１２  シャッター先幕
１３  シャッター後幕
２７  情報表示部
４１  撮影情報表示部
【図１】
2008113377.tif 000003
【図２】
2008113377.tif 000004
【図３】
2008113377.tif 000005
【図４】
2008113377.tif 000006
【図５】
2008113377.tif 000007